(57)【要約】    【課題】      電子機器の使用禁止場所で、必ず携帯端末装置の電源をＯＦＦにすること。    【解決手段】  端末無線部１０１は、電源ＯＦＦ信号発信機２００から送信された電源ＯＦＦ信号を受信する。端末通信部１０２は、電源ＯＮ不可解除機３００とのインターフェイスの役割を果たし、電源ＯＮ不可解除機３００から出力された電源ＯＮ不可解除信号を入力する。端末記憶部１０３は、電源ＯＮ不可かどうかの情報を格納する。端末操作部１０４は、電源をＯＮにする指示を端末制御部１０８に出力する。端末電源部１０７は、携帯端末１００の電源をＯＮ／ＯＦＦする。端末制御部１０８は、電源ＯＦＦ信号及び電源ＯＮ不可解除信号から、端末記憶部１０３の電源ＯＮ不可の設定／解除および電源ＯＮ／ＯＦＦの制御を行う。  【選択図】      図１
2005210207.tif 000002
【特許請求の範囲】
【請求項１】
電源ＯＮ／ＯＦＦを行う端末電源手段と、電源ＯＮを不可とする設定を行い、前記端末電源手段の電源をＯＦＦにするための電源ＯＦＦ信号を受信する端末無線手段と、前記電源ＯＦＦ信号によって設定された電源ＯＮ不可の設定を解除する電源ＯＮ不可解除信号を入力する端末通信手段と、前記電源ＯＦＦ信号及び前記電源ＯＮ不可解除信号に基づいて電源ＯＮ不可の設定／解除行う端末制御手段とを具備することを特徴とする携帯端末装置。
【請求項２】
電源ＯＮ不可の情報を格納する端末記憶手段と、少なくとも電源をＯＮにするための操作を可能とする端末操作手段を具備し、前記端末制御手段は、前記電源ＯＦＦ信号を受信した場合には前記端末記憶手段に電源ＯＮ不可を設定した後に前記端末電源手段の電源をＯＦＦにし、前記電源ＯＮ不可解除信号を入力した場合には電源ＯＮ不可の設定を解除して前記端末電源手段の電源をＯＮにすることを特徴とする請求項１記載の携帯端末装置。
【請求項３】
前記端末制御手段は、電源ＯＮ不可の設定を解除せずに前記端末電源手段の電源をＯＮにすることができる電源ＯＮ許可信号を前記端末通信手段にて受信した場合に、電源ＯＮ不可の設定を解除せずに前記端末電源手段の電源をＯＮにすることができることを特徴とする請求項１記載の携帯端末装置。
【請求項４】
携帯端末装置に対して信号を発信する無線手段と、前記携帯端末装置において電源ＯＮを不可とする設定を行い、電源をＯＦＦにするための電源ＯＦＦ信号を生成する生成手段とを具備することを特徴とする電源ＯＦＦ信号発信機。
【請求項５】
携帯端末装置が接触したことを検出する接触検出手段と、前記携帯端末装置に設定された電源ＯＮ不可の設定を解除することができる電源ＯＮ不可解除信号を生成する生成手段と、前記接触検出手段において前記携帯端末装置の接触を検出した場合に前記電源ＯＮ不可解除信号を生成する制御を行う制御手段と、前記携帯端末装置に対して前記電源ＯＮ不可解除信号を出力する通信手段とを具備することを特徴とする電源ＯＮ不可解除機。
【請求項６】
前記生成手段は、電源ＯＮ不可の設定時においても、前記接触検出手段において前記携帯端末装置の接触を検出している間は、電源ＯＮ不可の設定を解除せずに電源をＯＮにすることができる電源ＯＮ許可信号を生成することを特徴とする請求項５記載の電源ＯＮ不可解除機。
【請求項７】
前記携帯端末装置、前記電源ＯＦＦ信号発信機、前記電源ＯＮ不可解除機からなり、電源ＯＮを不可とする設定を行い、電源をＯＦＦにするための電源ＯＦＦ信号を前記携帯端末装置にて受信し、前記携帯端末装置の電源ＯＮ不可に設定した後に電源をＯＦＦし、前記電源ＯＮ不可解除機で電源ＯＮ不可の設定を解除することを特徴とする携帯端末装置電源ＯＮ規制システム。
【請求項８】
前記携帯端末装置電源ＯＮ規制システムにおいて、前記携帯端末装置に電源ＯＮ不可が設定されている場合であっても、前記電源ＯＮ不可解除機において前記携帯端末装置の接触を検出している間は、前記電源ＯＮ不可解除機は電源ＯＮ不可の設定を解除せずに電源をＯＮにすることができる電源ＯＮ許可信号を生成し、携帯端末装置の電源ＯＮ不可の設定を解除することなく前記携帯端末装置の電源をＯＮにすることができることを特徴とする請求項７記載の携帯端末装置電源ＯＮ規制システム。
【発明の詳細な説明】
【技術分野】
【０００１】
本発明は、電源をＯＦＦする機能を有する携帯端末装置に関する。
【背景技術】
【０００２】
携帯端末装置に、自動車の運転中や飛行機の搭乗の際など電子機器の使用を禁止したい場所で、必ず携帯端末装置の電源をＯＦＦにすることができる機能が求められている。
【０００３】
この要求に対して、従来から、加速度検出機能を用いてユーザが自動車等を運転中か否かを判断し、この情報に基づいて携帯端末装置の電源をＯＦＦにすることで、走行中の安全を確保する携帯端末装置が開発されている（例えば特許文献１参照）。
【０００４】
また、加速度検出機能がなくても規制のための電波信号を発信し、その範囲内にある携帯端末装置の発着信機能を停止させることで、走行中の安全を確保する携帯端末装置も開発されている（例えば特許文献２参照）。
【特許文献１】特開２００２−１１２３４９号公報
【特許文献２】特開平１１−３３１９５５号公報
【発明の開示】
【発明が解決しようとする課題】
【０００５】
しかしながら、特許文献１では、必ず携帯端末装置の電源をＯＦＦにする必要がある飛行中の機内では、加速中でない時にはユーザが簡単に電源をＯＮにできるため、離陸時に電源をＯＦＦにしたにもかかわらず携帯端末装置の電源をＯＮにすることができるという問題がある。また、一定時間が経過すると電源をＯＮにする機能では、一定時間として飛行時間を設定すれば飛行中の無線通信は制限できるが、経過時間を測定するために携帯端末装置の電源を完全にＯＦＦしていないという問題もある。
【０００６】
また、特許文献２では、加速中でない時でもユーザの発着信機能を停止させることができるが、電源をＯＦＦにしていないため、コンサート会場などにおいてデジタルカメラやカメラ付き携帯電話にて無断撮影を行うことが可能という問題がある。
【０００７】
本発明はかかる点に鑑みてなされたものであり、飛行中の機内やコンサート会場等、電子機器の使用禁止場所で、必ず携帯端末装置の電源をＯＦＦにすることができる携帯端末装置を提供することを目的とする。
【課題を解決するための手段】
【０００８】
本発明の携帯端末装置は、電源ＯＮ／ＯＦＦを行う端末電源手段と、電源ＯＮを不可とする設定を行い、前記端末電源手段の電源をＯＦＦにするための電源ＯＦＦ信号を受信する端末無線手段と、前記電源ＯＦＦ信号によって設定された電源ＯＮ不可の設定を解除する電源ＯＮ不可解除信号を入力する端末通信手段と、前記電源ＯＦＦ信号及び前記電源ＯＮ不可解除信号に基づいて電源ＯＮ不可の設定／解除行う端末制御手段とを具備する構成を採る。
【０００９】
この構成によれば、携帯端末装置の電源ＯＮを確実に規制することができるため、携帯端末装置の電源をＯＦＦにする必要のある状況下で確実に電源をＯＦＦにすることができる。
【００１０】
本発明の携帯端末装置は、電源ＯＮ不可の情報を格納する端末記憶手段と、少なくとも電源をＯＮにするための操作を可能とする端末操作手段を有し、さらに、前記電源ＯＦＦ信号を受信した場合には前記端末記憶手段に電源ＯＮ不可を設定した後に前記端末電源手段の電源をＯＦＦにし、前記電源ＯＮ不可解除信号を入力した場合には電源ＯＮ不可の設定を解除して前記端末電源手段の電源をＯＮにする端末制御手段を具備する構成を採る。
【００１１】
この構成によれば、前記電源ＯＦＦ信号及び前記電源ＯＮ不可解除信号に基づいて電源ＯＮ不可の設定／解除行うことができるので、携帯端末装置の電源をＯＦＦにする必要のある状況下で確実の電源をＯＦＦに保つことができる。
【００１２】
本発明の携帯端末装置は、電源ＯＮ不可の設定を解除せずに前記端末電源手段の電源をＯＮにすることができる電源ＯＮ許可信号を前記端末通信手段にて受信した場合に、電源ＯＮ不可の設定を解除せずに前記端末電源手段の電源をＯＮにすることができる端末制御手段を具備する構成を採る。
【００１３】
この構成によれば、携帯端末装置の電源ＯＮを確実に規制しながら、特定の場所においては電源をＯＮにすることができるため、航空機の飛行中の安全確保やコンサート会場での撮影防止が可能である一方で、搭乗前やコンサート開始前の待ち時間に電源をＯＮにすることができ、利用者の利便性が高めることができる。
【００１４】
本発明の電源ＯＦＦ信号発信機は、携帯端末装置に対して信号を発信する無線手段と、前記携帯端末装置において電源ＯＮを不可とする設定を行い、電源をＯＦＦにするための電源ＯＦＦ信号を生成する生成手段とを具備する構成を採る。
【００１５】
この構成により、携帯端末装置の電源ＯＮを確実に規制することができるため、航空機の飛行中の安全確保やコンサート会場での撮影防止に有益である。
【００１６】
本発明の電源ＯＮ不可解除機は、携帯端末装置が接触したことを検出する接触検出手段と、前記携帯端末装置に設定された電源ＯＮ不可の設定を解除することができる電源ＯＮ不可解除信号を生成する生成手段と、前記接触検出手段において前記携帯端末装置の接触を検出した場合に前記電源ＯＮ不可解除信号を生成する制御を行う制御手段と、前記携帯端末装置に対して前記電源ＯＮ不可解除信号を出力する通信手段とを具備する構成をとる。
【００１７】
この構成によれば、電源ＯＦＦのため、無線信号を一切受け付けない携帯端末装置の電源ＯＮ不可の設定を確実に解除することができ、さらに、携帯端末装置の電源を自動的にＯＮすることができる。
【００１８】
本発明の電源ＯＮ不可解除機は、電源ＯＮ不可の設定時においても、前記接触検出手段において前記携帯端末装置の接触を検出している間は、電源ＯＮ不可の設定を解除せずに電源をＯＮにすることができる電源ＯＮ許可信号を生成する生成手段を有する構成を採る。
【００１９】
この構成によれば、携帯端末装置の電源ＯＮを確実に規制しながら、特定の場所においては電源をＯＮにすることができるため、航空機の飛行中の安全確保やコンサート会場での撮影防止が可能である一方で、搭乗前やコンサート開始前の待ち時間に電源をＯＮにすることができ、利用者の利便性が高めることができる。
【００２０】
本発明の携帯端末装置電源ＯＮ規制システムは、前記携帯端末装置、前記電源ＯＦＦ信号発信機、前記電源ＯＮ不可解除機からなり、電源ＯＮを不可とする設定を行い、電源をＯＦＦにするための電源ＯＦＦ信号を前記携帯端末装置にて受信する工程と、前記携帯端末装置の電源ＯＮ不可に設定した後に電源をＯＦＦする工程と、前記電源ＯＮ不可解除機で電源ＯＮ不可の設定を解除する工程とを具備する構成を採る。
【００２１】
この構成によれば、携帯端末装置の電源ＯＮを確実の規制することができるため、飛行機の飛行中の安全確保やコンサート会場での撮影防止に有益である。
【００２２】
本発明の携帯端末装置電源ＯＮ規制システムは、前記携帯端末装置に電源ＯＮ不可が設定されている場合であっても、前記電源ＯＮ不可解除機において前記携帯端末装置の接触を検出している間は、前記電源ＯＮ不可解除機は電源ＯＮ不可の設定を解除せずに電源をＯＮにすることができる電源ＯＮ許可信号を生成し、携帯端末装置の電源ＯＮ不可の設定を解除することなく前記携帯端末装置の電源をＯＮにすることができる構成を採る。
【００２３】
この構成によれば、携帯端末装置の電源ＯＮを確実に規制しながら、特定の場所においては電源をＯＮにすることができるため、航空機の飛行中の安全やコンサート会場での撮影防止が可能である一方で、搭乗前やコンサート開始前の待ち時間に電源をＯＮにすることができ、利用者の利便性を高めることができる。
【発明の効果】
【００２４】
本発明によれば、飛行中の機内やコンサート会場等、電子機器の使用禁止場所で、必ず携帯端末装置の電源をＯＦＦにすることができる携帯端末装置を提供することができる。
【発明を実施するための最良の形態】
【００２５】
本発明の骨子は、携帯端末装置内に電源ＯＮ不可の設定／解除機能を設けることにより、電源をＯＦＦにする信号を受けて、電子機器の使用禁止場所では必ず携帯端末装置の電源をＯＦＦにすることである。
【００２６】
以下、本発明の実施の形態について図面を参照して詳細に説明する。
【００２７】
（実施の形態１）
図１は本発明の実施の形態１に係る携帯端末装置を含む通信システムを示す図である。以下、図１のシステムを携帯端末装置電源ＯＮ規制通信システムという。
【００２８】
図１の携帯端末装置電源ＯＮ規制通信システムは、携帯端末装置１００と、電源ＯＦＦ信号発信機２００と、電源ＯＮ不可解除機３００とから主に構成される。
【００２９】
携帯端末装置１００は、携帯電話やパソコンなど持ち運び可能な電子機器である。電源ＯＦＦ信号発信機２００は、空港の手荷物検査場などに設置され、携帯端末装置１００に対して電源ＯＮ不可の設定を行い、携帯端末装置１００を電源ＯＦＦにする電源ＯＦＦ信号を送信する。電源ＯＮ不可解除機３００は、携帯電話の充電器や電源コードのように物理的に接触や接続させることにより、携帯端末装置１００に対して電源ＯＮ不可の設定を解除し、電源をＯＮにする電源ＯＮ不可解除信号を出力する。
【００３０】
以下、図１の携帯端末装置電源ＯＮ規制通信システムの各装置の内部構成について説明する。
【００３１】
携帯端末装置１００は、端末無線部１０１と、端末通信部１０２と、端末記憶部１０３と、端末操作部１０４と、端末表示部１０５と、音声出力部１０６と、端末電源部１０７と、端末制御部１０８とから主に構成される。
【００３２】
端末無線部１０１は、電源ＯＦＦ信号発信機２００から送信された電源ＯＦＦ信号を受信し、受信した電源ＯＦＦ信号を増幅して、端末制御部１０８へ出力する。端末通信部１０２は、電源ＯＮ不可解除機３００とのインターフェイスの役割を果たし、電源ＯＮ不可解除機３００から出力された電源ＯＮ不可解除信号を入力し、端末制御部１０８に出力する。端末記憶部１０３は、電源ＯＮ不可かどうかの情報を格納する。端末操作部１０４は、少なくとも電源ＯＮにするための操作を可能とし、電源をＯＮにする指示を端末制御部１０８に出力する。端末表示部１０５は、少なくとも電源ＯＮ不可の状態であることを表示する。音声出力部１０６は、少なくとも電源ＯＮ不可の状態であることを音声で通知する。端末電源部１０７は、携帯端末装置１００の電源をＯＮ／ＯＦＦする。端末制御部１０８は、端末無線部１０１で受信した電源ＯＦＦ信号、端末通信部１０２で入力した電源ＯＮ不可解除信号から、端末記憶部１０３の電源ＯＮ不可の設定／解除および電源ＯＮ／ＯＦＦの制御、端末無線部１０１で受信した電源ＯＦＦ信号が暗号化されている場合には電源ＯＦＦ信号の復号、電源ＯＮ不可時の端末表示部１０５への表示と音声出力部１０６への音声出力の制御を行う。
【００３３】
電源ＯＦＦ信号発信機２００は、信号生成部２０１と、操作部２０２と、信号生成制御部２０３と、無線部２０４とから主に構成される。
【００３４】
信号生成部２０１は、例えば空港の手荷物検査場を携帯端末装置が通過する際等に、携帯端末装置の電源をＯＦＦにするための電源ＯＦＦ信号を生成し、信号生成制御部２０３へ出力する。操作部２０２は、電源ＯＦＦ信号の暗号化を行うか等の条件を信号生成制御部２０３へ出力する。信号生成制御部２０３は、暗号化するかなどの条件を入力すると、操作部２０２から入力された条件によって電源ＯＦＦ信号の生成を制御し、無線部２０４に出力する。無線部２０４は、信号生成制御部２０３で生成された電源ＯＦＦ信号を増幅して携帯端末装置１００に送信する。
【００３５】
電源ＯＮ不可解除機３００は、接触検出部３０１と、信号生成部３０２と、信号生成制御部３０３と、通信部３０４とから主に構成される。
【００３６】
接触検出部３０１は、携帯端末装置１００が接触または接続しているかを所定の間隔で検出し、検出結果を信号生成制御部３０３へ出力する。信号生成部３０２は、電源ＯＮ不可解除信号を生成し、信号生成制御部３０３へ出力する。信号生成制御部３０３は、接触検出部３０１で携帯端末装置１００が接触または接続しているか否かにより電源ＯＮ不可解除信号の生成を判断し、生成した電源ＯＮ不可解除信号を通信部３０４へ出力する。通信部３０４は、携帯端末装置１００とのインターフェイスの役割を果たし、信号生成部３０２で生成された電源ＯＮ不可解除信号を携帯端末装置１００に出力する。
【００３７】
以上のように構成された携帯端末装置電源ＯＮ規制通信システムについて、まず、図２を用いて電源ＯＮ不可解除機３００における電源ＯＮ不可解除信号の出力動作を説明する。
【００３８】
まず、携帯端末装置１００の電源ＯＮ／ＯＦＦの状態にかかわらず接触検出部３０１が携帯端末装置１００の接触または接続を検出する（Ｓ２０１）。携帯端末装置１００が接触または接続している場合には（Ｓ２０２：ＹＥＳ）、信号生成部３０２が電源ＯＮ不可解除信号を生成する（Ｓ２０３）。次に、信号生成制御部３０３を介して通信部３０４が携帯端末装置１００の端末通信部１０２に対して電源ＯＮ不可解除信号を出力し（Ｓ２０４）、Ｓ２０１に戻る。携帯端末装置１００が接触または接続していない場合にはＳ２０１に戻る（Ｓ２０２：ＮＯ）。
【００３９】
次に図３を用いて携帯端末装置１００の電源ＯＮ時の動作を説明する。
【００４０】
携帯端末装置１００は、端末操作部１０４から電源ＯＮの指示を受ける（Ｓ３０１）。端末制御部１０８が端末通信部１０２から電源ＯＮ不可解除信号が入力されている場合には（Ｓ３０２：ＹＥＳ）、端末記憶部１０３の電源ＯＮ不可の設定を解除して（Ｓ３０３）通常動作状態に遷移する。電源ＯＮ不可解除信号が入力されていない場合には（Ｓ３０２：ＮＯ）、端末制御部１０８が端末記憶部１０３に電源ＯＮ不可が設定されているかを判断する。電源ＯＮ不可が設定されている場合は（Ｓ３０４：ＹＥＳ）、端末電源部１０７に電源をＯＦＦするよう指示し、端末電源部１０７が携帯端末装置１００の電源をＯＦＦする（Ｓ３０５）。ここで、電源ＯＦＦの際には、現在、電源ＯＮ不可状態である旨を、端末表示部１０５に表示したり、音声出力部１０６にて音声で通知することも可能である。電源ＯＮ不可が設定されていない場合には（Ｓ３０４：ＮＯ）、通常動作状態に移行する。
【００４１】
次に図４を用いて携帯端末装置１００への電源ＯＮ不可の設定動作を説明する。ここで、電源ＯＦＦ信号発信機２００は常に電源ＯＦＦ信号を発信しているものとする。
【００４２】
携帯端末装置１００は常に端末制御部１０８で端末無線部１０１が電源ＯＦＦ信号を受信しているかを判断している。端末無線部１０１が電源ＯＦＦ信号を受信している場合には（Ｓ４０１：ＹＥＳ）、端末制御部１０８が端末記憶部１０３に電源ＯＮ不可の設定を行った後（Ｓ４０２）、端末電源部１０７に電源ＯＦＦの指示を出す（Ｓ４０３）。端末電源部１０７は、電源ＯＦＦの指示で携帯端末装置１００の電源をＯＦＦにする。
【００４３】
ここで、端末無線部１０１が電源ＯＦＦ信号を受信できることは、携帯端末装置１００が電源ＯＦＦ信号発信機２００の信号を受信できる圏内に入ったことを意味する。
【００４４】
なお、電源ＯＦＦの際には、電源ＯＮ不可に設定する旨を、端末表示部１０５に表示したり、音声出力部１０６にて音声で通知することも可能である。
【００４５】
電源ＯＦＦ信号を受信していない場合には（Ｓ４０１：ＮＯ）、通常動作状態へ遷移する。ここで、通常動作状態時は常に電源ＯＦＦ信号を受信しているか否かの判断を行う。
【００４６】
このように本実施の形態によれば、携帯端末装置１００に対して、電源ＯＦＦ信号発信機２００から発信した電源ＯＦＦ信号を受信して、携帯端末装置１００の電源を電源ＯＮ不可の設定を行った後にＯＦＦにし、電源ＯＮ不可解除機３００で電源ＯＮ不可の設定を解除することにより、電源ＯＮを禁止させたい場合、確実に携帯端末装置１００の電源ＯＮの禁止を行うことができるので、航空機の飛行中の安全を十分に確保することができ、コンサート会場での撮影を防止することができる。
【００４７】
なお、以上の説明では、端末無線部１０１、無線部２０４を無線で構成した例について説明したが、携帯端末装置１００と電源ＯＦＦ信号発信機２００で情報の受け渡しができるのであれば有線や赤外線などを用いても同様に実施可能である。
【００４８】
また、端末通信部１０２、通信部３０４を有線で構成した例について説明したが、携帯端末装置１００と電源ＯＮ不可解除機３００で情報の受け渡しができるのであれば無線や赤外線などを用いても同様に実施可能である。
【００４９】
また、携帯端末装置は独自の無線部を持つ例で説明したが、その他の携帯電話などすでに無線部を持っている携帯端末装置の場合はすでに持っている無線部を用いても同様に実施可能である。
【００５０】
（実施の形態２）
図５は、本発明の実施の形態２に係る携帯端末装置を含む通信システムを示す図である。なお、図５において図１と共通する構成部分には図１と同一符号を付し説明を省略する。
【００５１】
図５は、図１に対して、携帯端末装置１００に端末制御部５０１と、電源ＯＮ不可解除機３００に信号生成部５０３とを付加した構成をとる。
【００５２】
端末制御部５０１は、少なくとも端末記憶部１０３に設定された電源ＯＮ不可を解除せずに電源をＯＮにできる制御を追加している。信号生成部５０３は、少なくとも電源ＯＮ不可の設定を解除せずに電源をＯＮにすることができる電源ＯＮ許可信号を生成する。
【００５３】
以上のように携帯端末装置電源ＯＮ規制通信システムについて、図６を用いてその動作を説明する。ここで、Ｓ３０１〜Ｓ３０５の動作については図３と同一であるため一部説明を省略する。
【００５４】
まず、すでに携帯端末装置１００に電源ＯＮ不可の設定がされており、電源ＯＮ不可解除機３００の信号生成部５０３で生成された電源ＯＮ許可信号を信号生成制御部３０３を介して通信部３０４が携帯端末装置１００の端末通信部１０２に出力しているものとする。
【００５５】
携帯端末装置１００の端末通信部１０２から電源ＯＮ不可解除信号が入力されていない場合、携帯端末装置１００が端末操作部１０４から電源ＯＮの指示を受けると、処理はＳ６０１の判定まで進む（Ｓ３０１〜Ｓ３０２→Ｓ３０４）。電源ＯＮ不可解除機３００から電源ＯＮ許可信号が入力されている場合には、端末記憶部１０３に設定した電源ＯＮ不可の設定を解除せずに通常動作状態に遷移し、電源ＯＮが許可されていない場合には端末制御部５０１にて端末電源部１０７に電源をＯＦＦするよう指示し、端末電源部１０７が形態端末装置１００の電源をＯＦＦする（Ｓ６０１〜Ｓ３０５）。
【００５６】
ここで、通常動作状態において携帯端末装置１００の端末通信部１０２に電源ＯＮ不可解除機３００からの電源ＯＮ許可信号が入力されなくなった場合には、端末制御部５０１にて端末電源部１０７に電源をＯＦＦするよう指示し、端末電源部１０７が携帯端末装置１００の電源をＯＦＦする。
【００５７】
以上のように本実施の形態によれば、携帯端末装置１００に、端末記憶部１０３に設定された電源ＯＮ不可を解除せずに電源をＯＮにできる制御を追加した端末制御部５０１、電源ＯＮ不可解除機３００に、少なくとも電源ＯＮ不可の設定を解除せずに電源をＯＮにできる信号を生成する信号生成部５０３とを設けることにより、電源ＯＮ不可が設定されている場合でも電源ＯＮ不可の設定を解除せずに電源ＯＮにすることができ、電源ＯＮ不可の設定後、搭乗前やコンサート前の待ち時間に携帯端末装置を利用することができる。
【産業上の利用可能性】
【００５８】
本発明は、飛行中の航空機の安全を確保できる、コンサート会場での撮影を防止することで肖像権侵害を防止することができるという効果を有する携帯端末装置を提供することができるものである。
【図面の簡単な説明】
【００５９】
【図１】本発明の実施の形態１に係る携帯端末装置を含む携帯端末装置電源ＯＮ規制通信システムの構成を示すブロック図
【図２】実施の形態１に係る携帯端末装置を含む携帯端末装置電源ＯＮ規制通信システムの電源ＯＮ不可解除機の動作を説明するためのフロー図
【図３】実施の形態１に係る携帯端末装置を含む携帯端末装置電源ＯＮ規制通信システムの携帯端末装置の電源ＯＮ時の動作を説明するためのフロー図
【図４】実施の形態１に係る携帯端末装置を含む携帯端末装置電源ＯＮ規制通信システムの携帯端末装置への電源ＯＮ不可の設定の動作を説明するためのフロー図
【図５】本発明の実施の形態２に係る携帯端末装置を含む携帯端末装置電源ＯＮ規制通信システムの構成を示すブロック図
【図６】実施の形態２に係る携帯端末装置を含む携帯端末装置電源ＯＮ規制通信システムの携帯端末装置の電源ＯＮ時の動作を説明するためのフロー図
【符号の説明】
【００６０】
１００  携帯端末装置
１０１  端末無線部
１０２  端末通信部
１０３  端末記憶部
１０４  端末操作部
１０５  端末表示部
１０６  音声出力部
１０７  端末電源部
１０８  端末制御部
２００  電源ＯＦＦ信号発信機
２０１  信号生成部
２０２  操作部
２０３  信号生成制御部
２０４  無線部
３００  電源ＯＮ不可解除機
３０１  接触検出部
３０２  信号生成部
３０３  信号生成制御部
３０４  通信部
５０１  端末制御部
５０３  信号生成部
【図１】
2005210207.tif 000003
【図２】
2005210207.tif 000004
【図３】
2005210207.tif 000005
【図４】
2005210207.tif 000006
【図５】
2005210207.tif 000007
【図６】
2005210207.tif 000008